(57)【特許請求の範囲】
【請求項１】
複数の用紙を重ね合わせて接着して冊子を作成する冊子作成方法であって、
前記複数の用紙のうち、該複数の用紙が重ね合わされた際に最も下となる用紙の接着部分に熱活性型糊を塗布する処理と、
前記熱活性型糊が塗布されていない用紙のうち、該複数の用紙が重ね合わされた際に最も上となる用紙以外の用紙に、前記複数の用紙が重ね合わされた際に下となる用紙における開口領域が広くなるような穴を、前記複数の用紙が重ね合わされた際に前記熱活性型糊が塗布された領域に対向する領域に形成する処理と、
前記複数の用紙を重ね合わせる処理と、
前記重ね合わされた複数の用紙のうち少なくとも前記熱活性型糊が塗布された領域に熱を加えながら当該領域を前記複数の用紙を表裏から挟みこむように押圧する処理とを行うことを特徴とする冊子作成方法。
【発明の詳細な説明】
【０００１】
【発明の属する技術分野】
本発明は、複数の用紙を重ね合わせて冊子を作成する冊子作成方法に関する。
【０００２】
【従来の技術】
従来、複数の用紙を重ね合わせてカタログやパンフレット等の冊子を作成する場合、冊子を構成する複数の用紙を重ね合わせた状態でこれら複数の用紙をホチキスで綴じたり、複数の用紙のそれぞれの接着部分に糊を塗布し、糊が塗布された複数の用紙を順次重ね合わせていったり、複数の用紙を重ね合わせた後に冊子の背となる部分に粘性を有する糊を塗布したりし、それにより、複数の用紙が重ね合わされた冊子が作成されている。
【０００３】
【発明が解決しようとする課題】
しかしながら、上述したような従来の冊子作成方法においては、以下に記載するような問題点がある。
【０００４】
冊子を構成する複数の用紙を重ね合わせた状態でこれら複数の用紙をホチキスで綴じることによって冊子を作成するものにおいては、ホチキスの針という金属からなる部品を使用するため、多少なりとも取り扱いに注意が必要となるとともに、廃棄する際に環境に悪影響を及ぼす原因となってしまう。
【０００５】
複数の用紙のそれぞれの接着部分に糊を塗布し、糊が塗布された複数の用紙を順次重ね合わせていくことによって冊子を作成するものにおいては、冊子を作成する作業が、冊子を作成するための装置の停止等何らかの原因で中断し、一定の時間が経過してしまった場合、用紙に塗布された糊が固まってしまい、その後、作業が再開されたとしても、用紙どうしを接着することができなくなってしまう。
【０００６】
複数の用紙を重ね合わせた後に冊子の背となる部分に粘性を有する糊を塗布することによって冊子を作成するものにおいては、用紙どうしを接着している部分が冊子の背となる用紙それぞれの一辺のみであるため、用紙どうしが分離しやすくなってしまう。
【０００７】
本発明は、上述したような従来の技術が有する問題点に鑑みてなされたものであって、糊を用いた冊子作成方法において用紙に糊を塗布してから用紙を重ね合わせるまでの時間的制約がなく冊子を作成することができる冊子作成方法を提供することを目的とする。
【０００８】
【課題を解決するための手段】
上記目的を達成するために本発明は、
複数の用紙を重ね合わせて接着して冊子を作成する冊子作成方法であって、
前記複数の用紙のうち、該複数の用紙が重ね合わされた際に最も下となる用紙の接着部分に熱活性型糊を塗布する処理と、
前記熱活性型糊が塗布されていない用紙のうち、該複数の用紙が重ね合わされた際に最も上となる用紙以外の用紙に、前記複数の用紙が重ね合わされた際に下となる用紙における開口領域が広くなるような穴を、前記複数の用紙が重ね合わされた際に前記熱活性型糊が塗布された領域に対向する領域に形成する処理と、
前記複数の用紙を重ね合わせる処理と、
前記重ね合わされた複数の用紙のうち少なくとも前記熱活性型糊が塗布された領域に熱を加えながら当該領域を前記複数の用紙を表裏から挟みこむように押圧する処理とを行うことを特徴とする。
【００１３】
（作用）
上記のように構成された本発明においては、複数の用紙を重ね合わせて冊子を作成する場合、まず、複数の用紙の所定の領域に熱活性型糊を塗布しておき、その後、冊子毎に、冊子を構成する用紙を重ね合わせ、熱活性型糊が塗布された領域に熱を加えながらその領域を複数の用紙を挟みこむように押圧する。この熱によって、用紙に塗布された熱活性型糊が再溶融し、さらに、押圧によって複数の用紙どうしが再溶融した糊を介して接着される。
【００１４】
このように、冊子を構成する用紙に熱活性型糊を予め塗布しておき、用紙どうしを接着するタイミングにてこの糊を再溶融することにより糊に接着力を与えて用紙どうしを接着しているので、用紙に糊を塗布した後にて冊子を構成する用紙を選択することができるとともに、用紙に糊を塗布してから用紙どうしを接着するまでに時間的制約がなくなり、冊子を作成する作業が、冊子を作成するための装置の停止等何らかの原因で中断し、一定時間経過した後においても用紙どうしを接着することができる。
【００１５】
また、冊子を重ね合わせた後、熱活性型糊が塗布された領域のうち任意の領域のみに熱を加えながらその領域を複数の用紙を挟みこむように押圧すれば、用紙どうしが接着する領域を任意に設定することができ、それにより、用紙どうしの接着力を任意に設定することができる。
【００１６】
また、冊子を構成する複数の用紙のうち、複数の用紙が重ね合わされた際に最も下となる用紙の所定の領域のみに熱活性型糊を塗布しておくとともに、熱活性型糊が塗布されていない用紙のうち、複数の用紙が重ね合わされた際に最も上となる用紙以外の用紙に、複数の用紙が重ね合わされた際に下となる用紙の方がその開口領域が広くなるような穴を、複数の用紙が重ね合わされた際に熱活性型糊が塗布された領域に対向する領域に形成しておき、その後、複数の用紙を重ね合わせ、重ね合わされた複数の用紙のうち少なくとも熱活性型糊が塗布された領域に熱を加えながらその領域を複数の用紙を挟みこむように押圧するように構成すれば、冊子を構成する複数の用紙のうち、糊が塗布される用紙が１枚のみとなるので、用紙どうしの接着部分が糊によって盛り上がってしまうことがなくなる。
【００１７】
【発明の実施の形態】
以下に、本発明の実施の形態について図面を参照して説明する。
【００１８】
図１は、本発明の冊子作成装置の実施の一形態を示す図である。
【００１９】
本形態は図１に示すように、冊子を構成する用紙の接着部分にホットメルト糊のような熱活性型糊を塗布する糊塗布部１０と、糊塗布部１０にて糊が塗布された用紙を用紙の種類毎に設けられた保管エリア３０−１〜３０−ｎに保管するための保管部３０と、糊塗布部１０にて糊が塗布された用紙を用紙の種類に応じて保管エリア３０−１〜３０−ｎに振り分ける振分部２０と、保管部３０に保管された用紙を冊子の種類に応じて抽出する抽出部４０と、抽出部４０にて抽出され重ね合わされた用紙の糊が塗布された領域に熱を加えながらこの領域を重ね合わされた用紙を表裏から挟みこむように押圧する押圧／加熱部５０とから構成されている。
【００２０】
以下に、上記のように構成された冊子作成装置における冊子作成方法について説明する。
【００２１】
図２は、図１に示した冊子作成装置の具体的な構成例を示す図であり、図３は、図２に示した冊子作成装置を用いた冊子作成方法を説明するためのフローチャートである。
【００２２】
まず、糊塗布部１０において、冊子を構成する用紙１の接着部分に対してガンヘッド１１から熱活性型の糊２が射出され、それにより、用紙１に糊２が塗布される（ステップＳ１）。
【００２３】
糊塗布部１０にて糊が塗布された用紙１は、コンベヤー６１上を搬送されていくが、その際、振分部２０となるチェントランサ２１−１〜２１−ｎの動作によって、コンベヤー６１上を搬送されていく用紙１が、用紙１の種類毎に、保管エリア３０−１〜３０−ｎとなる保管トレイ３１−１〜３１−ｎに搬送され、保管トレイ３１−１〜３１−ｎにて保管される（ステップＳ２）。なお、チェントランサ２１−１〜２１−ｎにおいては、他の制御装置（不図示）の制御によって、用紙１の種類に応じて、用紙１が保管トレイ３１−１〜３１−ｎに搬送されていくように動作する。
【００２４】
ここで、保管トレイ３１−ｎに搬送され、保管される用紙１においては、冊子を構成する表紙等、全ての冊子において共通に一番上に重ね合わされる用紙となるため、糊塗布部１０においては糊２が塗布されない。
【００２５】
その後、冊子の種類毎に応じて、抽出部４０となるコンベヤー６２−１〜６２−ｎが動作し、それにより、保管トレイ３１−１〜３１−ｎに保管されている用紙のうち冊子を構成する用紙のみがコンベヤー６２−１〜６２−ｎ上を搬送されていき、搬送手段であるコンベヤー６３上に移載される。コンベヤー６３上に移載された用紙は、図中矢印で示すような方向に搬送されていくため、順次重ね合わされ、搬送されていく（ステップＳ３）。なお、コンベヤー６２−１〜６２−ｎにおいては、他の制御装置（不図示）に制御によって、冊子の種類毎に、その冊子を構成する用紙のみがコンベヤー６３上に移載されるように動作する。
【００２６】
コンベヤー６３上にて冊子を構成する全ての用紙が重ね合わされた後、押圧／加熱器５１によって、用紙１の糊が塗布された領域に熱が加えられながら該領域が、重ね合わされた用紙を表裏から挟みこむように押圧される（ステップＳ４）。
【００２７】
図４は、図２に示した押圧／加熱器５１にて用紙１に熱が加えられながら押圧される状態を示す図である。
【００２８】
図４に示すように、押圧／加熱器５１においては、糊塗布部１０にて用紙１の糊２が塗布された領域に熱が加えられながら該領域が、重ね合わされた用紙を表裏から挟みこむように押圧されるが、糊塗布部１０にて用紙１に塗布された糊２は熱活性型糊であるため、押圧／加熱器５１にて熱が加えられると硬化していた糊２が再溶融し、その状態で押圧されることにより、再溶融した糊２によって用紙１どうしが接着することになる。
【００２９】
なお、図４においては、糊塗布部１０にて糊２が塗布された領域に対して、用紙を挟みこむように用紙の表裏から加熱、押圧が行われているが、用紙の裏面側をコンベヤー６３あるいは固定台等で固定し、用紙の表面側からのみ加熱、押圧することも考えられる。ただし、その場合、用紙に対する加熱が用紙の表面側からしか行われないため、用紙の表裏から加熱、押圧するものと比べて、冊子の厚さは薄いものに限定される。
【００３０】
ここで、押圧／加熱器５１において加熱及び押圧する領域を、糊塗布部１０にて糊が塗布された領域全面とせず、糊塗布部１０にて糊が塗布された領域のうち任意の領域に限定することにより、用紙１どうしの接着力を任意に設定することもできる。
【００３１】
図５は、図２に示した冊子作成装置において、糊塗布部１０に糊が塗布された領域のうち任意の領域のみ加熱及び押圧する場合の例を示す図であり、（ａ）は押圧／加熱器５１の形状を示す図、（ｂ）は（ａ）に示した押圧／加熱器５１にて押圧及び加熱された冊子の状態を示す図である。
【００３２】
図５に示すように、押圧／加熱器５１の用紙１に接する面の形状を、糊塗布部１０にて糊が塗布された領域全面と接するような形状とせず、糊塗布部１０にて糊が塗布された領域のうち任意の領域のみと接する形状とすれば、糊塗布部１０にて用紙１に塗布された糊２のうち、押圧／加熱器５１にて再溶融される糊が、押圧／加熱器５１が用紙１と接する部分に塗布された糊２ａのみとなり、それにより、用紙１どうしが、糊塗布部１０にて用紙１に塗布された糊２のうち一部の糊２ａのみによって接着されることになる。
【００３３】
また、糊塗布部１０にて用紙１に糊２が塗布される領域を任意の領域としたり、糊２の塗布量を変えることによっても、用紙１どうしの接着力を任意に設定することができる。
【００３４】
なお、本形態においては、図１及び図２に示したような冊子作成装置を用いて冊子を作成しているが、本発明の冊子作成装置はこれに限らず、熱活性型の糊２が塗布された用紙１が予め用意されていれば、その用紙１をコンベヤー６２−１〜６２−ｎを用いてコンベヤー６３上にて重ね合わせ、押圧／加熱器５１にて、用紙１の糊２が塗布された領域に熱を加えながらその領域を用紙１の表裏から挟みこむように押圧するだけの構成としてもよい。
【００３５】
（他の実施の形態）
上述した実施の形態においては、冊子を構成する複数の用紙のうち、表紙等となる用紙以外の全ての用紙に糊が塗布されているが、冊子を構成する用紙の接着部分に用紙毎に異なる形状の穴を形成し、冊子を構成する用紙のうち冊子の裏面となる用紙のみに糊を塗布することも考えられる。
【００３６】
図６は、図１に示した冊子作成装置にて作成される冊子を構成する用紙の他の実施の形態を示す図であり、（ａ）は冊子を構成する用紙をそれぞれ示す図、（ｂ）は（ａ）に示した用紙が接着された状態を示す図である。
【００３７】
図６（ａ）に示すように、本形態における冊子は４枚の用紙１ａ〜１ｄから構成されるものであって、冊子の裏面となる用紙１ａには、用紙１ａ〜１ｄの接着部分となる領域に糊２が塗布されており、また、用紙１ａの上に重ね合わされる用紙１ｂには、用紙１ａに重ね合わされた際に糊２が塗布された領域に対向する領域に所定の大きさを有する穴３ａが形成されており、また、用紙１ｂの上に重ね合わされる用紙１ｃには、用紙１ｂに重ね合わされた際に穴３ａが形成された領域に対向する領域に穴３ａよりも小さな穴３ｂが形成されており、また、用紙１ｃの上に重ね合わされ、冊子の表紙となる用紙１ｄには、穴が形成されておらず、糊２も塗布されていない。
【００３８】
上記のように構成された用紙１ａ〜１ｄを重ね合わせた場合、図６（ｂ）に示すように、用紙１ａに塗布された糊２は、用紙１ｂに形成された穴３ａから導出されて用紙１ｃに達するとともに、用紙１ｂの穴３ａが形成されていない領域に塗布され、また、用紙１ｃに達した糊２は用紙１ｃに形成された穴３ｂから導出されて用紙１ｄに達するとともに、用紙１ｃの穴３ｂが形成されていない領域に塗布されることになる。これにより、用紙１ａと用紙１ｂとが、用紙１ａの糊２が塗布された領域と用紙１ｂの穴３ａが形成されていない領域とにおいて糊２によって接着され、また、用紙１ａと用紙１ｃとが、用紙１ａの糊２が塗布された領域と用紙１ｃの穴３ｂが形成されていない領域とにおいて糊２によって接着され、また、用紙１ａと用紙１ｄとが、用紙１ａの糊２が塗布された領域と用紙１ｄの穴３ｂと対向する領域とにおいて糊２によって接着されている。また、用紙１ｂと用紙１ｃとが、用紙１ｂの穴３ａが形成されていない領域と用紙１ｃの穴３ｂが形成されていない領域において糊２によって接着され、また、用紙１ｂと用紙１ｄとが、用紙１ｂの穴３ａが形成されていない領域と用紙１ｄの穴３ｂと対向する領域とにおいて糊２によって接着され、用紙１ｃと用紙１ｄとが、用紙の穴３ｂが形成されていない領域と用紙１ｄの穴３ｂと対向する領域とにおいて糊２によって接着されている。
【００３９】
上述したような用紙１ａ〜１ｄから構成される冊子においては、用紙１ａのみに糊２が塗布されているため、用紙１ａ〜１ｄの接着部分が糊２によって盛り上がってしまうことを防ぐことができる。また、本形態においても、用紙に形成する穴の大きさによって、用紙どうしの接着力を任意に設定することができる。
【００４０】
なお、本形態においては、用紙１ｃに形成される穴３ｂの大きさを用紙１ｂに形成される穴３ａの大きさよりも小さくし、それにより、穴３ａから導出された糊２が、さらに穴３ｂから導出されるとともに、穴３ｂが形成されていない領域において用紙１ｃに塗布される構成としたが、用紙１ｂに形成される穴３ａと用紙１ｃに形成される穴３ｂとの大きさを等しくし、用紙１ｂに形成される穴３ａの数を用紙１ｃに形成される穴３ｂの数よりも多くすることによって、穴３ａから導出された糊２が、さらに穴３ｂから導出されるとともに、穴３ｂが形成されていない領域において用紙１ｃに塗布される構成とすることも考えられる。
【００４１】
なお、上述した実施の形態においては、冊子を構成する用紙の種類によってその熱伝導率が異なるため、押圧／加熱器５１にて用紙１を押圧、加熱している時間は、冊子を構成する用紙の種類毎に、押圧／加熱器５１による加熱によって糊２が溶融するために必要となる時間に応じて適宜設定する必要がある。
【００４２】
【発明の効果】
以上説明したように本発明においては、複数の用紙を重ね合わせて冊子を作成する場合、冊子を構成する用紙に熱活性型糊を予め塗布しておき、用紙どうしを接着するタイミングにてこの糊を再溶融することにより糊に接着力を与え、用紙どうしを接着する構成としたため、用紙に糊を塗布した後にて冊子を構成する用紙を選択することができるとともに、用紙に糊を塗布してから用紙どうしを接着するまでに時間的制約がなくなり、冊子を作成する作業が、冊子を作成するための装置の停止等何らかの原因で中断し、一定時間経過した後においても用紙どうしを接着することができる。
【００４３】
また、冊子を重ね合わせた後、熱活性型糊が塗布された領域のうち任意の領域のみに熱を加えながらその領域を複数の用紙を挟みこむように押圧するものにおいては、用紙どうしが接着する領域を任意に設定することができ、それにより、用紙どうしの接着力を任意に設定することができる。
【００４４】
また、冊子を構成する複数の用紙のうち、複数の用紙が重ね合わされた際に最も下となる用紙の所定の領域のみに熱活性型糊を塗布しておくとともに、熱活性型糊が塗布されていない用紙のうち、複数の用紙が重ね合わされた際に最も上となる用紙以外の用紙に、複数の用紙が重ね合わされた際に下となる用紙の方がその開口領域が広くなるような穴を、複数の用紙が重ね合わされた際に熱活性型糊が塗布された領域に対向する領域に形成しておき、その後、複数の用紙を重ね合わせ、重ね合わされた複数の用紙のうち少なくとも熱活性型糊が塗布された領域に熱を加えながらその領域を複数の用紙を挟みこむように押圧するものにおいては、用紙どうしの接着部分が糊によって盛り上がってしまうことを防ぐことができる。
【図面の簡単な説明】
【図１】本発明の冊子作成装置の実施の一形態を示す図である。
【図２】図１に示した冊子作成装置の具体的な構成例を示す図である。
【図３】図２に示した冊子作成装置を用いた冊子作成方法を説明するためのフローチャートである。
【図４】図２に示した押圧／加熱器にて用紙に熱が加えられながら押圧される状態を示す図である。
【図５】図２に示した冊子作成装置において、糊塗布部に糊が塗布された領域のうち任意の領域のみ加熱及び押圧する場合の例を示す図であり、（ａ）は押圧／加熱器の形状を示す図、（ｂ）は（ａ）に示した押圧／加熱器にて押圧及び加熱された冊子の状態を示す図である。
【図６】図１に示した冊子作成装置にて作成される冊子を構成する用紙の他の実施の形態を示す図であり、（ａ）は冊子を構成する用紙をそれぞれ示す図、（ｂ）は（ａ）に示した用紙が接着された状態を示す図である。
【符号の説明】
１，１ａ〜１ｄ    用紙
２，２ａ    糊
３ａ，３ｂ    穴
１０    糊塗布部
１１    ガンヘッド
２０    振分部
２１−１〜２１−ｎ    チェントランサ
３０    保管部
３０−１〜３０−ｎ    保管エリア
３１−１〜３１−ｎ    保管トレイ
４０    抽出部
５０    押圧／加熱部
５１    押圧／加熱器
６１，６２−１〜６２−ｎ，６３    コンベヤー
【図１】
0004104316.tif 000002
【図２】
0004104316.tif 000003
【図３】
0004104316.tif 000004
【図４】
0004104316.tif 000005
【図５】
0004104316.tif 000006
【図６】
0004104316.tif 000007